(57)【要約】  本発明はステープル繊維スライバから紡績糸を製造するためのエアノズル紡績機に関し、更に前記紡績機は複数の紡績ポスト（１，２‐‐‐）を含み、それと回転効果発生圧縮空気ノズル（９）がそれぞれ組合されている。圧力センサ（１２）と制御装置（１３）を含む共通圧縮空気制御器が紡績ポストの上流に取付けられている。前記圧縮空気制御器は全ての紡績ポストが作動するとき制御されることができない静圧に相当する参照圧力に従って調整される。静圧修正の場合、前記圧縮空気制御器が参照圧力を調整する。【選択図】  図２
2008517180.tif 000002
【特許請求の範囲】
【請求項１】
ステープル繊維ストランド（４）から紡績糸（３）を製造するためのエアジェット紡績機であって、エアジェット紡績機が多数の紡績位置（１，２‐‐‐）を含み、それらのそれぞれに圧縮空気ノズル（９）が紡績撚りを発生する目的のため配置されており、さらにエアジェット紡績機が紡績位置の上流に連結された共有圧縮空気調節器を含み、前記調節器が圧力センサ（１２）及び静圧（ｐｓ）を調整するための調節装置（１３）を含むものにおいて、圧縮空気調節器（１２，１３）が全ての紡績位置（１，２‐‐‐）が操業中であるときに支配する調節されていない静圧（ｐｕ）に相当する参照圧力（ｐＲ）に設定されること、及び圧縮空気調節器（１２，１３）が静圧（ｐｓ）の変化の場合に参照圧力（ｐＲ）に再調整することを特徴とするエアジェット紡績機。
【請求項２】
選ばれた参照圧力（ｐＲ）が全ての紡績位置（１，２‐‐‐）が操業中であるときの調節されていない静圧（ｐｕ）のそれより小さいことを特徴とする請求項１に記載のエアジェット紡績機。
【発明の詳細な説明】
【技術分野】
【０００１】
本発明は、ステープル繊維ストランドから紡績糸を製造するためのエアジェット紡績機に関し、それは多数の紡績位置を含み、それらのそれぞれに圧縮空気ノズルが紡績撚りを発生する目的のため配置されており、さらにそれは紡績位置の上流に連結された共有圧縮空気調節器を含み、前記調節器は圧力センサ及び測定された静圧を調整するための調節装置を含む。
【背景技術】
【０００２】
エアジェット紡績機はドイツ公開特許出願ＤＥ３８３６４８１Ｃ２から既知であり、本発明の前提文はそれに基づいており、それは定常的に監視された紡績張力の変化に反応する圧縮空気調節器を開示する。一変形例では、圧縮空気ノズルに作用する圧力が対応して調整されることで紡績張力を一定に保つ試みがなされている。この目的のため、圧力センサが圧縮空気調節器に配置され、それは測定されたデータを分析のために制御システムに伝達する。この制御システムはそれぞれの圧力を変えるための調節装置を含む。
【０００３】
本発明によるエアジェット紡績機の場合、圧縮空気ノズルのすぐ近くの圧力が監視された紡績撚りに対して一度に調整されるということが規定されないので、問題は少し異なる。むしろ、解決は、長いエアジェット紡績機の圧縮空気入口に作用する静圧が、どれだけ多くの紡績位置が一度に操業されているかに無関係であることを探求する。紡績工場の操業圧力、すなわち一定であると考えられる操業圧力は、エアジェット紡績機の圧縮空気入口で支配し、かつ原則として６バールの大きさである。しかし、もし全ての紡績位置が操業中であるなら、その静圧は５バール未満に下がりうる。ただ幾つかの紡績位置が操業中であるだけとしたら、静圧の降下は対応してより低い。後者は、例えばエアジェット紡績機が起動中であるとき、または幾つかの紡績位置が糸切れのため一時的に操業されていないときがその場合である。
【発明の開示】
【発明が解決しようとする課題】
【０００４】
本発明の目的は、エアジェット紡績機のどれだけ多くの紡績位置が操業中であるのかとは無関係に静圧の一定水準を永久的に維持することである。
【課題を解決するための手段】
【０００５】
この目的は、本発明によれば、圧縮空気調節器が、全ての紡績位置が操業中であるときに支配する調節されていない静圧に相当する参照圧力に設定されること、及び圧縮空気調節器が静圧の変化が起こったときに参照圧力に再調整することにより達成される。
【０００６】
本発明によれば、圧縮空気センサ及び調節装置を含む圧縮空気調節器が真の作動器として設計されており、それによりエアジェット紡績機の圧縮空気入口での静圧が一定に保たれる。もし、例えば多数の紡績位置が止まり、静圧の増加をもたらすなら、圧縮空気調節器が静圧を参照圧力の水準に下がるように調整する。停止した紡績位置が続いて再度操業に入ったとき、下方に調整された圧力が再度降下するが、圧縮空気調節器により参照圧力の水準に再度上方に調整される。
【０００７】
参照圧力はもちろん、エアジェット紡績機の全ての紡績位置が操業中であるときに発生する静圧の最低の調節されていない水準より大きくなることはできない。しかし、上述の静圧の水準より低い水準に参照圧力を選択することは必ず可能である。
【０００８】
本発明の一実施態様では、選ばれた参照圧力は、全ての紡績位置が操業中であるときの調節されていない静圧より低いことが規定される。低い水準の参照圧力はある限度内で必ず可能であり、かつ静圧が常に上方にかつまた下方に調整されることができるという利点を持つ。この“圧力遊び”は例えば静圧を一定に保つのみならず、紡績糸の予め決められた引出し速度でのある限度内の糸撚りの変動を可能とする。
【０００９】
図面の簡略説明
本発明のこれらの及び更なる目的、特徴及び利点は添付図面に関してなされるそれらの以下の詳細な説明からより容易に明らかとなるであろう。図面において：
図１はエアジェット紡績機の圧縮空気入口で支配する静圧の操業中の紡績位置の数に対する依存性を表わすダイヤグラムを示し、
図２は多数の紡績位置のために設けられた共有圧縮空気調節器を非常に概略的な表現で示す。
【発明を実施するための最良の形態】
【００１０】
エアジェット紡績機は多数の紡績位置を含み、その中の二つの紡績位置１及び２のみが図２に概略的に示されている。各紡績位置１，２はステープル繊維ストランド４から紡績糸３を製造する役目をする。
【００１１】
紡績位置１，２は、本質的な要素として、ドラフト装置５（そのドラフト帯域を境界付ける唯一の送出ローラー対６が示されている）を含み、更にエアジェット集合体７、引出しローラー対８及び巻取り装置（図示せず）を含む。
【００１２】
供給方向Ａで供給されたステープル繊維ストランド４はそれぞれのドラフト装置５内で希望の繊度にドラフトされる。引出し方向Ｂに引出される糸３はそれぞれのエアジェット集合体７内でその紡績撚りを受ける。多数の圧縮空気ノズル９はこの目的のために個々のエアジェット集合体７に、従来技術から多くの場合既知であるように配置され、従って紡績工程自身は詳細に説明される必要がない。個々の圧縮空気ノズル９は有利には環状空間１０から延び出ており、そこではエアジェット集合体７の環状空間１０は上流に設けられた共有圧縮空気導管１１に連結されている。この圧縮空気導管１１は例えば６バールのそれぞれの紡績工場内に設置された操業圧力を受け、エアジェット紡績機のためのアキュムレータの一形式と見られることができる。
【００１３】
エアジェット紡績機の圧縮空気入口で支配する静圧は今や現在操業中のエアジェット紡績機の紡績位置１，２‐‐‐の数に依存する。もしほんの数個の紡績位置１，２‐‐‐が操業中であれば、そのとき圧縮空気導管内に存在する静圧は紡績工場に設置された操業圧力とほぼ同じでありうる。しかし、もしエアジェット紡績機の全ての利用可能な紡績位置１，２‐‐‐が操業中であるなら、そのときエアジェット紡績機の圧縮空気入口の静圧は著しく、ある環境では１バールを越えて降下する。結果として個々の糸３の紡績撚りの強度、従って糸の品質が変わることは明らかである。本発明はこの状況を避けることを探求する。
【００１４】
上述の問題はダイヤグラムの形で図１に示されており、そこでは横座標は所定時間の操業中の紡績位置１，２‐‐‐の数ｚを記載し、一方縦座標はそれぞれの支配する静圧ｐｓを記載する。
【００１５】
図１の助けにより、紡績位置１，２‐‐‐のどれも操業中でないとき、静圧ｐｏがエアジェット紡績機の圧縮空気入口に支配することを見ることができる。しかし、全ての紡績位置１，２‐‐‐、この場合例えば２００の位置が操業中であるとき、静圧はｐｕの値に降下する。操業中の紡績位置１，２‐‐‐の数に依存して、最高圧力ｐｏと最低圧力ｐｕの間に位置する静圧が支配する。
【００１６】
これを避けるために、本発明によれば、支配する静圧ｐｓがエアジェット紡績機の全操業状態中一定のままであるような手段がとられる。
【００１７】
多数の紡績位置１，２‐‐‐のために、エアジェット紡績機の全ての紡績位置１，２‐‐‐のためまたは紡績機部分の予め決められた数のみの紡績位置１，２‐‐‐のためのいずれかのために、上流に連結された共有圧縮空気調節器が設けられ、それが静圧ｐｓを一定に保つ。この目的のために圧縮空気調節器はいわゆる参照圧力ｐＲに設定される。図１に明らかに示すように、この参照圧力ｐＲは上述の静圧ｐｕより大きくはない。しかし参照圧力ｐＲは圧力ｐｕより幾らか小さい。いずれにせよ、参照圧力ｐＲは全ての紡績位置１，２‐‐‐が操業中のときの調節されない静圧ｐｕに対応する。
【００１８】
圧縮空気調節器はエアジェット紡績機または紡績機部分の圧縮空気入口において全体に支配する静圧を測定するための圧力センサ１２、及び調節装置１３を含む。後者は圧縮空気導管１１の絞り弁１４上に作用する。従って、圧縮空気調節器は上述の方式で定常的に静圧ｐｓの変化の場合に参照圧力ｐＲに再調整することができる。もし例えば多数の紡績位置１，２が止まったなら、圧力センサ１２により測定された静圧ｐｓは増える。この場合、参照圧力ｐＲは直ちに調節装置１３及び絞り弁１４を介して再調整される。逆の場合、先に停止した紡績位置１，２‐‐‐が再度操業されると、下方に調整された圧力は再度降下するが、再度上方に参照圧力ｐＲに再調整される。
【００１９】
参照圧力ｐＲはもし必要なら静圧ｐｕに等しくすることができる。もし参照圧力ｐＲが幾らか低い水準に設定されるなら、そのとき調節工程のためのある許容誤差が存在し、その許容誤差は上方のみならず下方にも及ぶ。これは糸３に与えられる紡績撚りがある限界内で変えられることができるという利点に対して使用されることができる。
【００２０】
明確化のため、この時点でエアジェット紡績機が完全な停止状態にあるときに調節工程が停止されかつ圧縮空気が遮断されることが述べられる。
【図面の簡単な説明】
【００２１】
【図１】エアジェット紡績機の圧縮空気入口で支配する静圧の操業中の紡績位置の数に対する依存性を表わすダイヤグラムを示す。
【図２】多数の紡績位置のために設けられた共有圧縮空気調節器を非常に概略的な表現で示す。
【図１】
2008517180.tif 000003
【図２】
2008517180.tif 000004
【国際調査報告】
2008517180.tif 000005
2008517180.tif 000006
2008517180.tif 000007
2008517180.tif 000008
2008517180.tif 000009
2008517180.tif 000010